【事件の表示】
　特願２００９−２８０４１４「洗浄用の泡及びその生成方法及び洗髪方法」拒絶査定不服審判事件〔平成２３年　６月２３日出願公開、特開２０１１−１２１８９６〕について、次のとおり審決する。
【結　論】
　本件審判の請求は、成り立たない。
【理　由】
第１　手続の経緯  
　本件出願は、平成２１年１２月１０日の出願であって、平成２３年１月１３日付けで拒絶理由通知がされ、同年３月２２日に意見書及び手続補正書が提出され、同年４月２８日付けで拒絶査定がされ、同年７月２６日に拒絶査定不服審判の請求がされると同時に手続補正書が提出され、平成２４年８月２２日付けで前置報告書に基づく審尋がされ、同年１０月２５日に回答書が提出されたものである。 
　 　　　　　　　　　　 
第２　本願の特許請求の範囲に記載された発明  
　本願の特許請求の範囲の請求項１〜９に係る発明は、平成２３年７月２６日付け手続補正により補正された特許請求の範囲の請求項１〜９に記載された事項により特定されるとおりのものであり、そのうち、請求項１に係る発明は、次のとおりのものである（以下、「本件発明」という。）。 　　　 「モータにより回転するスクリューを有した泡生成装置を用い、スクリューの回転により洗浄剤組成物と空気とを混合することにより生成される洗浄用の泡であって、
　前記洗浄剤組成物は水及び下記に示す化合物群から選択される２つ以上の界面活性剤を含み、
　前記界面活性剤中のアニオン性界面活性剤の含有量は、前記洗浄剤組成物に対して１．０〜６質量％であり、
　前記界面活性剤中の両性界面活性剤の含有量は、前記洗浄剤組成物に対して３．９〜７．２質量％であり、
　前記界面活性剤中のカチオン性界面活性剤の含有量は、前記洗浄剤組成物に対して０〜０．３１質量％であり、
　前記界面活性剤中の非イオン性界面活性剤の含有量は、前記洗浄剤組成物に対して０〜１．０質量％であり、
　前記界面活性剤の前記洗浄剤組成物に対する総含有量は１２質量％以下であり、
　泡生成後１０秒後の泡粘度が４０ｍＰａ−ｓ以上１００ｍＰａ−ｓ以下かつ生成３０秒後の泡において含有される気泡の平均粒子径が１０μｍ以上１００μｍ以下であることを特徴とする洗浄用の泡：
　アニオン性界面活性剤；ポリオキシエチレンラウリルエーテル硫酸ナトリウム、Ｎ−アシル−Ｎ−メチルタウリンナトリウム、ヤシ油脂脂肪酸メチルタウリンナトリウム、ポリオキシエチレンラウリル硫酸トリエタノールアミン塩、ポリオキシエチレンスルホコハク酸ラウリル二ナトリウム、ラウリン酸タウリンナトリウム、ラウリン酸トリエタノールアミン、ステアリン酸ナトリウム、ステアリン酸カリウム、ラウリン酸ナトリウム、ラウリン酸カリウム、ミリスチン酸ナトリウム、ミリスチン酸カリウム、リンゴ酸ナトリウム、テトラデセンスルホン酸ナトリウム；
　両性界面活性剤；ヤシ油脂肪酸アミドプロピルベタイン、２−アルキル−Ｎ−カルボキシメチル−Ｎ−ヒドロキシエチルイミダゾリニウムベタイン、ラウリルジメチルアミノ酢酸ベタイン、イミダゾリニウムベタイン；
　カチオン性界面活性剤；ジココイルエチルヒドロキシエチルモニウムメトサルフェート；
　非イオン性界面活性剤；ヤシ油脂肪酸ジエタノールアミド、ポリオキシエチレンラウリルエーテル：」
　　　　　　　　　
第３　原査定の拒絶の理由  
　平成２３年４月２８日付け拒絶査定の理由は、
「この出願については、平成２３年１月１３日付け拒絶理由通知書に記載した理由２、３によって、拒絶をすべきものです。…」
　というものであり、このうち、理由２は、平成２３年１月１３日付け拒絶理由通知書を参照すると、
「この出願は、発明の詳細な説明の記載が…特許法第３６条第４項第１号に規定する要件を満たしていない。」
というものである。
　　　　　　　　　　
第４　当審の判断
　当審は、本件発明は、平成２３年４月２８日付け拒絶査定における理由２によって拒絶されるべきものと判断する。以下、その理由について述べる。
　　　　　　　　
（１）本件発明 
　本件発明は、平成２３年７月２６日付け手続補正により補正された特許請求の範囲の請求項１に記載された、前記「第２」に記載したとおりのものであり、本件明細書の発明の詳細な説明の段落【００１１】の「本発明は…きめが細かくクリーミーな洗浄用の泡を提供することを第１の目的とする。」との記載等からみて、「きめが細かくクリーミーな洗浄用の泡を提供すること」を目的とするものと認められる。
 　　　　　　　　　　 
（２）発明の詳細な説明の記載  
　本件明細書の発明の詳細な説明には、次のとおりの記載がある。
ａ「【０００４】
　従来、原液の洗浄剤から泡状洗浄剤を生成する方法としては、ポンプフォーマーによる泡生成方法、エアゾールによる泡生成方法、及び電動による泡生成方法等が知られている。
…
【０００７】
　しかしながら、ポンプフォーマーによる泡生成方法では、生成される泡状洗浄剤のきめが粗く、所望するクリーミーな泡を生成することができないという問題点があった。このようなキメが粗い泡においては含有される空気（気泡）が大きく、洗浄中に容易に破泡してしまうことから、泡の持続性が悪く、洗浄に関する満足感にも問題があった。…
【０００８】
　また、エアゾール容器による泡生成方法では、噴射剤として液化ガスが必要となり、一般にこの液化ガスは可燃性であるために安全性に問題がある。
【０００９】
　更に、従来の電動による泡生成方法では…発泡石を用いて生成される泡状洗浄剤は、きめが粗く、所望するクリーミーな泡を生成することができないという問題点もあった。
【００１０】
　ポンプフォーマーによる泡生成方法と電動による泡生成方法を組み合わせた手法ではメッシュ部材のつまりの軽減が期待されるものの泡状洗浄剤のきめが粗く、所望するクリーミーな泡を得られないという欠点は引き続き解決しない。
【００１１】
　本発明は上記の点に鑑みてなされたものであり、きめが細かくクリーミーな洗浄用の泡を提供することを第１の目的とする。
…」
　　　　
ｂ「【００１４】
　上記の課題は、第１の観点からは、
　モータにより回転するスクリューを有した泡生成装置を用い、スクリューの回転により洗浄剤組成物と空気とを混合することにより生成される洗浄用の泡であって、
　前記洗浄剤組成物は水及び下記に示す化合物群から選択される２つ以上の界面活性剤を含み、
　前記界面活性剤中のアニオン性界面活性剤の含有量は、前記洗浄剤組成物に対して１．０〜６質量％であり、
　前記界面活性剤中の両性界面活性剤の含有量は、前記洗浄剤組成物に対して３．９〜７．２質量％であり、
　前記界面活性剤中のカチオン性界面活性剤の含有量は、前記洗浄剤組成物に対して０〜０．３１質量％であり、
　前記界面活性剤中の非イオン性界面活性剤の含有量は、前記洗浄剤組成物に対して０〜１．０質量％であり、
　前記界面活性剤の前記洗浄剤組成物に対する総含有量は１２質量％以下であり、
　泡生成後１０秒後の泡粘度が４０ｍＰａ−ｓ以上１００ｍＰａ−ｓ以下かつ生成３０秒後の泡において含有される気泡の平均粒子径が１０μｍ以上１００μｍ以下であることを特徴とする洗浄用の泡により解決することができる：
　アニオン性界面活性剤；ポリオキシエチレンラウリルエーテル硫酸ナトリウム、Ｎ−アシル−Ｎ−メチルタウリンナトリウム、ヤシ油脂脂肪酸メチルタウリンナトリウム、ポリオキシエチレンラウリル硫酸トリエタノールアミン塩、ポリオキシエチレンスルホコハク酸ラウリル二ナトリウム、ラウリン酸タウリンナトリウム、ラウリン酸トリエタノールアミン、ステアリン酸ナトリウム、ステアリン酸カリウム、ラウリン酸ナトリウム、ラウリン酸カリウム、ミリスチン酸ナトリウム、ミリスチン酸カリウム、リンゴ酸ナトリウム、テトラデセンスルホン酸ナトリウム；
　両性界面活性剤；ヤシ油脂肪酸アミドプロピルベタイン、２−アルキル−Ｎ−カルボキシメチル−Ｎ−ヒドロキシエチルイミダゾリニウムベタイン、ラウリルジメチルアミノ酢酸ベタイン、イミダゾリニウムベタイン；
　カチオン性界面活性剤；ジココイルエチルヒドロキシエチルモニウムメトサルフェート；
　非イオン性界面活性剤；ヤシ油脂肪酸ジエタノールアミド、ポリオキシエチレンラウリルエーテル：
…　　　　　　　　
【００１７】
　上記発明によれば、きめの細かいクリーミーで泡持続性に優れた洗浄用の泡を実現することができる。また、界面活性剤の低減を図ることができ、業務用に使用しても使用者の手あれ防止を図ることかできる。更に、界面活性剤が低減されることにより、洗浄用の泡のコスト低減を図ることが可能となる。」
　　　　　　　　　　　
ｃ「【００２１】
…図２は泡生成装置１の構成を示す断面図である。
…
【００２３】
　次に、図２を用いて泡生成装置１の内部構成について説明する。泡生成装置１の内部には、原液タンク５、モータ７、起泡室８、スクリュー９、及び開閉バルブ１０等を有している。…操作部４は手挿入部３内に配設されるが、図２では図示の便宜上、操作部４を本体部２の上部に位置するよう図示している。
【００２４】
　操作部４は、前記のように泡生成装置１の使用者により操作される。この操作部４には２本のシャフト１２，１７が設けられている。このシャフト１２は、後述する開閉バルブ１０の一部を構成するもので、本体部２に上下方向（Ｚ１，Ｚ２方向）に移動可能に取り付けられている。
…
【００２６】
　モータ７は、スイッチ１５のＯＮ／ＯＦＦ操作により駆動及び駆動停止が行われる構成とされている。スイッチ１５は操作部４に配設されたシャフト１７と接続されており、操作部４の押圧操作（Ｚ１方向への操作）によりＯＮ／ＯＦＦ動作を行う。
【００２７】
　モータ７の回転軸は、起泡室８の内部に突出している。このモータ７の回転軸は、起泡室８の壁部を貫通してその内部に突出するが、貫通部分はシールがされて液密な構成とされている。また、モータ７の回転軸で、起泡室８内に突出した部分には、スクリュー９が配設されている。よってスクリュー９は、モータ７により回転する。
【００２８】
　起泡室８は、原液タンク５と連通している。この原液タンク５と起泡室８との連通部１８には、開閉バルブ１０が設けられている。開閉バルブ１０の弁体１３は、原液タンク５と起泡室８との連通部１８を開閉弁可能な構成とされている。そして、弁体１３が開弁することにより、原液タンク５から洗浄剤組成物原液Ｂが起泡室８内に流入し、また弁体１３が閉弁することにより原液タンク５から起泡室８内への洗浄剤組成物原液Ｂの進入が停止される。
【００２９】
　この弁体１３は、前記したシャフト１２の下端部に配設されている。また、シャフト１２にはコイルスプリング１１が配設されており、このコイルスプリング１１は弁体１３が連通部１８を閉弁する方向（Ｚ２方向）に常にシャフト１２を付勢している。
【００３０】
　更に、起泡室８の矢印Ｘ２方向端部の上部には、エア吸入口１４が設けられている。スクリュー９が回転した際、このエア吸入口１４から起泡室８内には空気が流入する。
【００３１】
　上記構成とされた泡生成装置１において操作部４が押圧操作されると、スイッチ１５がシャフト１７を介してＯＮとされ、これによりモータ７が起動する。また、モータ７が起動することにより、起泡室８内においてスクリュー９が回転を開始する。
【００３２】
　また、操作部４が押圧操作されることにより、シャフト１２はコイルスプリング１１のばね力に抗してＺ１方向に移動し、弁体１３は開弁される。これにより、原液タンク５内の洗浄剤組成物原液Ｂは、連通部１８を介して起泡室８内に流入する。
【００３３】
　スクリュー９は、起泡室８内に流入した洗浄剤原液Ｂ及び空気を混合・攪拌することにより洗浄用の泡Ａを生成し、これを矢印Ｘ１方向に送り出す機能を奏する。起泡室８の矢印Ｘ１方向端部には、手挿入部３内に開口する泡吐出口１６が形成されている。起泡室８内でスクリュー９により生成された洗浄用の泡Ａは、この泡吐出口１６から吐出される。
【００３４】
　一方、使用者が操作部４の押圧操作を解除すると、コイルスプリング１１の弾性復元力によりシャフト１２は上動（Ｚ２方向移動）して連通部１８を弁体１３により閉弁する。これにより、洗浄剤組成物原液Ｂの原液タンク５から起泡室８への流入は停止される。また、シャフト１２の上動に伴い操作部４も上動し、よってシャフト１７も上動する。これにより、スイッチ１５はＯＦＦとなりモータ７は停止する。また、スイッチ１５の停止によりスクリュー９の回転も停止し、洗浄用の泡Ａの吐出も停止される。
…　　　　　
【００３６】
　上記した洗浄用の泡Ａの生成方法及び泡生成装置１によれば、モータ７により回転するスクリュー９の回転により洗浄剤組成物原液Ｂと空気とを混合するため、きめの細かいクリーミーな洗浄用の泡Ａを生成することができる…。」
　　　　　　　
ｄ「【００４１】
　図４は、上記した泡生成方法及び泡生成装置１で生成された洗浄用の泡Ａの泡粘度を、従来の泡生成方法により生成された洗浄用の泡の泡粘度と比較して示す図である。この泡粘度測定は、音叉型振動式粘度計（SV-10,AD社製）を用いて実施した。
【００４２】
　同図中、参考例１として示すのは従来のポンプフォーマーを用いて生成された洗浄用の泡の泡粘度を示している。また、同図中参考例２として示すのは従来の発泡石を用いた電動による泡生成方法により生成された洗浄用の泡の泡粘度を示している。更に、図中実施例として示すのは、図１及び図２を用いて説明した泡生成方法及び泡生成装置１により生成された洗浄用の泡Ａの泡粘度を示している。尚、図中ｎ＝として記載されている数字は測定回数を示し、図示されている特性線はその平均値を取ったものである。
【００４３】
　また、同図では縦軸に泡粘度(mPa-s)を示し、横軸は洗浄用の泡が生成された後の経過時間(sec)を示している。ここで、泡のきめの細かさ及びクリーミーさと泡粘度とは相関しており、泡粘度の値が高いほど泡のきめは細かくクリーミーとなる。尚、経過時間は、洗浄用の泡の生成された時を１０秒とし、その４０秒までの間を５秒間隔で測定した。
【００４４】
　使用する洗浄剤組成物原液は、参考例１，２及び実施例でそれぞれ同一のものを使用した。具体的には、図５に実施例１として示した組成の洗浄剤組成物原液を用いた。この実施例１に係る洗浄剤組成物原液は界面活性剤（アニオン活性剤及び両性活性剤）を含み、その界面活性剤の含有量は0.4質量％以上12質量％以下とされている。よって、一般にシャンプー等として使用されている洗浄剤組成物原液に比べて界面活性剤の含有量は少なく設定されている。また、この実施例１に係る洗浄剤組成物原液の粘度（液粘度）は、３０℃において5mPa-s 以上1500mPa-s以下である。
【００４５】
　図４において、実施例として示される本実施形態に係る泡生成方法により生成された洗浄用の泡Ａの泡粘度に注目すると、泡生成直後の泡粘度が43mPa-s以上55mPa-s以下となっている。これは、泡粘度の値が20mPa-s以上35mPa-s以下である実施例１、及び泡粘度の値が16mPa-s以上21mPa-s以下である実施例２に比べて高い値となっている。よって、本実施形態に係る泡生成方法により生成された洗浄用の泡Ａは、従来の泡生成方法により生成された洗浄用の泡に比べてきめが細かくクリーミーであることが証明された。また、洗浄剤組成物原液に含まれる界面活性剤の含有量が少ないにも拘わらず、きめが細かくクリーミーな洗浄用の泡が生成され、経時でも持続しうることも実証された。
…
【００４７】
　本実施形態に係る泡生成方法により生成された洗浄用の泡Ａは、泡生成直後(10sec）の泡粘度と泡生成後４０秒後(40sec)の泡粘度との差（経時変化）は、7mPa-s以上23mPa-s以下となっている。これに対して参考例１では泡粘度の経時変化は4mPa-s以上19mPa-s以下であり、参考例２では泡粘度の経時変化は4mPa-s以上9mPa-s以下である。
【００４８】
　このように本実施形態に係る洗浄用の泡Ａは、参考例１，２に比べて泡粘度の経時的な減少率は高い。しかしながら、３０秒経過後においても、本実施形態に係る洗浄用の泡Ａの泡粘度は参考例１の最高値（31mPa-s）及び参考例２の最高値（17mPa-s）よりも高い値となっている。よって、本実施形態に係る洗浄用の泡Ａは、参考例１，２に比べ、泡の持続性いわゆる泡持ちがよいことが実証された。このことはきめが細かくクリーミーな泡を生成することにより泡の持続性を向上させていることを示している。
【００４９】
　上記した図４に示す洗浄用の泡Ａの泡粘度を測定する実験においては、図５に実施例１で示す組成を有する洗浄剤組成物原液を用いた。本発明者は、この実施例１に係る洗浄剤組成物原液Ｂに代えて実施例２で示す組成を有する洗浄剤組成物原液を用いて上記と同様の泡粘度の測定を実施した。実施例２に係る洗浄剤組成物原液は、従来から一般に用いられているシャンプーに類似した組成である。
【００５０】
　但し、この従来から一般に用いられているシャンプーは、原液の粘度（液粘度）は、３０℃において1500mPa-s以上でありかつ界面活性剤の含有量は12質量％以上であるためそのまま用いると、本発明である洗浄剤組成物に空気を混合してなる洗浄用の泡で、泡生成直後の泡粘度が40mPa-s以上100mPa-s以下かつ生成直後の泡において含有される気泡の平均粒子径が10μｍ以上100μｍ以下の洗浄に適した泡にはなりえない。そこで、界面活性剤の含有量及び原液の粘度（液粘度）を本発明に適するように調整したものを洗浄剤原液（以下、調整原液という）として用いた。
【００５１】
　その結果、図４に実施例で示した特性と略同等の泡粘度特性を有する洗浄用の泡を生成することができた。これは、本実施形態に係る泡生成方法及び泡生成装置１を用いることにより、洗浄剤組成物原液Ｂとして調整原液を用いることが可能であることを示している。この実施例２の調整原液を用いる場合は、実施例１の洗浄剤組成物原液を用いる場合に比べて界面活性剤の含有量は増加するが、一般に市販されているシャンプーに類似した使用感を実現するとともに、洗浄剤組成物原液の実施例１に比べてコスト低減を図ることができる。
　また、図６は、上記した泡生成方法及び泡生成装置１で生成された洗浄用の泡Ａに含有される気泡及び、従来の泡生成方法により生成された洗浄用の泡に含有される気泡をデジタルマイクロスコープで観察したものである。観察には５０倍の拡大条件に設定したデジタルマイクロスコープ（VHX-200, キーエンス社）を用い、各泡生成方法により生成された洗浄用の泡で吐出３０秒後、６０秒後に観察したものである。気泡画像の取得には、スライドガラス上に乗せた生成直後の泡をカバーガラスで挟むことによって行った。また、図７は図６で得られた画像から泡に含有される気泡の平均径を算出し、上記した泡生成方法及び泡生成装置１で生成された洗浄用の泡Ａと従来の泡生成方法により生成された洗浄用の泡において含有される気泡の大きさを比較した。
【００５２】
　図６（Ａ−１），（Ａ−２）に比較例１として示すのは従来のポンプフォーマーを用いて生成された洗浄用の泡の泡に含有される気泡の画像である。また、図６（Ｂ−１），（Ｂ−２）に比較例２として示すのは従来の発泡石を用いた電動による泡生成方法により生成された洗浄用の泡に含有される気泡の画像である。また、図６（Ａ−１），（Ａ−２）に実施例として示すのは、図１及び図２を用いて説明した泡生成方法及び泡生成装置１により生成された洗浄用の泡Ａに含有される気泡の画像である。更に、各図において（Ａ−１），（Ｂ−１），（Ｃ−１）で示すのは吐出後３０秒後の状態を示す画像であり、（Ａ−２），（Ｂ−２），（Ｃ−２）で示すのは吐出後６０秒後の状態を示す画像である。
【００５３】
　使用する洗浄剤組成物原液は、比較例１，２及び実施例でそれぞれ同一のものを使用した。具体的には、図６に実施例１として示した組成の洗浄剤組成物原液を用いた。この実施例１に係る洗浄剤組成物原液は界面活性剤（アニオン活性剤及び両性活性剤）を含み、その界面活性剤の含有量は0.4質量％以上12質量％以下とされている。よって、一般にシャンプー等として使用されている洗浄剤組成物原液に比べて界面活性剤の含有量は少なく設定されている。また、この実施例１に係る洗浄剤組成物原液の粘度（液粘度）は、３０℃において5mPa-s 以上1500mPa-s以下である。
【００５４】
　また図７では、取得された各水準の画像３枚で確認される気泡から算出した気泡径の平均値を示しており、ｎ＝として記載されている数字は計測した気泡数を示す。同図では縦軸に気泡径(μｍ)を示しており、実施例１、参考例１及び２の泡生成直後より３０秒後と６０秒後の泡に含有される気泡径の平均値を示している。
【００５５】
　図６及び７において、実施例として示される本実施形態に係る泡生成方法により生成された洗浄用の泡Ａに含有される気泡径は、各比較例と比較して非常に細かいことがわかる。
　また、平均気泡径の値が80μmであり、これは、平均気泡径の値が200μmである比較例１、比較例２に比べて明らかに低い値となっている。よって、本実施形態に係る泡生成方法により生成された洗浄用の泡Ａは、従来の泡生成方法により生成された洗浄用の泡に比べてきめが細かくクリーミーであることが証明された。また、洗浄剤組成物原液に含まれる界面活性剤の含有量が少ないにも拘わらず、含有される気泡が細かいことによるきめが細
かくクリーミーな洗浄用の泡が生成されることを実証された。
…
【００５７】
　本実施形態に係る泡生成方法により生成された洗浄用の泡Ａ（実施例）は、泡生成後６０秒後においても泡に含有される気泡径の平均値が130μｍであり、比較例１の平均気泡径の240μm、比較例２の290μｍに比べ、明らかに低い値を示している。このことは従来の泡生成方法により生成された洗浄用の泡に比べてきめが細かくクリーミーな泡が持続することが証明された。」（当審注：段落【００４５】の「実施例１」、「実施例２」は、それぞれ、「参考例１」、「参考例２」の誤記と認められる。）
　　　　　　　
ｅ「【００６９】
　以下に、本発明の洗浄用の泡を生成するための洗浄剤組成物のその他の例を挙げる。
　尚、これらの処方例はすべて、常法により調製することができ、泡生成装置１で起泡すると、一般に使用されている洗浄剤組成物の界面活性剤よりも少ない含有量にも拘わらず、きめの細かいクリーミーで泡持続性に優れた洗浄用の泡の生成を実現することができる。
［処方例３：ヘアシャンプー用組成物］
ポリオキシエチレンラウリル硫酸トリエタノールアミン塩　 　5.0　質量%
ラウリルジメチルアミノ酢酸ベタイン　　　　　　　　　　　 2.5
プロピレングリコール　　　　　　　　　　　　　　　　　　 2.0
カチオン化セルロース        　　　　　　　　　　　　　　 0.3
安息香酸ナトリウム　　　　　　　　　　　　　　　　　　　 0.5
クエン酸　　　　　　　　　　　　　　　　　　　　　　　　 0.05
フェノキシエタノール　　　　　　　　　　　　　　　　　　 0.1
色素　　　　　　　　　　　　　　　　　　　　　　　　　　 適量
香料　　　　　　　　　　　　　　　　　　　　　　　　　　 適量
精製水　　　　　　　　　　　　　　　　　　　　　　　　　 残余
［処方例４：ヘアシャンプー用組成物］
ポリオキシエチレンラウリルエーテル硫酸ナトリウム 　　　　1.5　質量%
ヤシ油脂肪酸メチルタウリンナトリウム                     0.8
ヤシ油脂肪酸アミドプロピルベタイン液  　　　　　　　　　 3.5
カチオン化グアガム　        　　　　　　　　　　　　　　 0.3
ソルビット液　　　　　　　　　　　　　　　　　　　　　 　2.0
Ｌ−アルギニン　　　　　　　　　　　　　　　　　　　　 　0.08
ヒドロキシエチル尿素　　　　　　　　　　　　　　　　　　 0.2
海藻エキス　　　　　　　　　　　　　　　　　　　　　　　 適量
色剤　　　　　　　　　　　　　　　　　　　　　　　　　　 適量
香料　　　　　　　　　　　　　　　　　　　　　　　　　　 適量
精製水　　　　　　　　　　　　　　　　　　　　　　　　　 残余
［処方例５：ヘアシャンプー用組成物］
ポリオキシエチレンスルホコハク酸ラウリル二ナトリウム　　6.0　質量%
２−アルキル−Ｎ−カルボキシメチル−Ｎ−ヒドロキシエチル
イミダゾリニウムベタイン                                2.0
ヤシ油脂肪酸アミドプロピルベタイン液　　　　　　　　　　1.0
ポリ塩化ジメチルメチレンピペリジニウム液　　　　　　　　2.0
グリセリン　　　　　　　　　　　　　　　　　　　　　　　2.0
カチオン化ローカストビーンガム 　　　　　　　　　　　　 0.3
色剤　　　　　　　　　　　　　　　　　　　　　　　　　　 適量
香料　　　　　　　　　　　　　　　　　　　　　　　　　　 適量
精製水　　　　　　　　　　　　　　　　　　　　　　　　　 残余
［処方例６：ヘアシャンプー用組成物］
ラウリン酸タウリンナトリウム                       　　　2.0　質量%
ポリオキシエチレンラウリルエーテル硫酸ナトリウム         3.0
ラウリルジメチルアミノ酢酸ベタイン　　　 　　　　　　　　1.0
ヤシ油脂肪酸アミドプロピルベタイン液                     2.0
プロピルトリモニウムクロリドアクリルアミド／
ジメチルアクリルアミドコポリマー，精製水混合物　　　　　 0.2
ソルビット液　　　　　　　　　　　　　　　　　　　　　　 3.0
コハク酸　　　　　　　　　　　　　　　　　　　　　　　　 0.04
ツバキオイル　　　　　　　　　　　　　　　　　　　　     0.3
色剤　　　　　　　　　　　　　　　　　　　　　　　　　　 適量
香料　　　　　　　　　　　　　　　　　　　　　　　　　 　適量
精製水　　　　　　　　　　　　　　　　　　　　　　　　 　残余
［処方例７：ボディーシャンプー用組成物］
グリセリン　　　　　　　　　　　　　　　　　　　　　　　 10.0質量％
ジプロピレングリコール　　　　　　　　　　　　　　　　　　5.0
ラウリン酸トリエタノールアミン　　　　　　　　　　　　 　 6.0
ラウリルジメチルアミノ酢酸ベタイン　　　　　　　　　　　　2.0
カミモラエキス　　　　　　　　　　　　　　　　　　　　　　適量
エデト酸三ナトリウム　　　　　　　　　　　　　　　　　　　適量
防腐剤　　　　　　　　　　　　　　　　　　　　　　　　　　適量
色剤　　　　　　　　　　　　　　　　　　　　　　　　　　　適量
香料　　　　　　　　　　　　　　　　　　　　　　　　　　　適量
精製水　　　　　　　　　　　　　　　　　　　　　　　　　　残余
［処方例８：洗顔フォーム用組成物］
グリセリン　　　　　　　　　　　　　　　　　　　　　　　 25.0質量％
ポリエチレングリコール1500　　　　　　　　　　　　　　　  3.0
ソルビット液　　　　　　　　　　　　　　　　　　　　　　  3.0
ステアリン酸　　　　　　　　　　　　　　　　　　　　　　  0.05
ラウリン酸　　　　　　　　　　　　　　　　　　　　　　　  2.0
ミリスチン酸　　　　　　　　　　　　　　　　　　　　　    3.0
ヤシ油脂肪酸ジエタノールアミド　　　　　　　　　　　　 　 0.3
ヤシ油脂肪酸アミドプロピルベタイン液                      2.0
水酸化カリウム　　　　　　　　　　　　　　　　　　　　　  1.8
メリッサエキス　　　　　　　　　　　　　　　　　　　　　  0.1
エデト酸三ナトリウム　　　　　　　　　　　　　　　　　　  適量
香料　　　　　　　　　　　　　　　　　　　　　　　　　　  適量
精製水　　　　　　　　　　　　　　　　　　　　　　　　　  残余
［処方例９：洗顔フォーム用組成物］
グリセリン　　　　　　　　　　　　　　　　　　　　　　　 10.0質量％
ジプロピレングリコール　　　　　　　　　　　　　　　　  　5.0
1,3-ブチレングルコール　　　　　　　　　　　　　　　　　   5.0
ポリエチレングリコール1500　　　　　　　　　　　　　　　  3.0
ソルビット液　　　　　　　　　　　　　　　　　　　　　　 20.0
ラウリン酸　　　　　　　　　　　　　　　　　　　　　　　  2.5
ミリスチン酸　　　　　　　　　　　　　　　　　　　　　    0.5
Ｎ-メチルタウリンナトリウム　　　　　　　　　　　　　　   2.0
ラウリルジメチルアミノ酢酸ベタイン                        1.0
イザヨイバラエキス　　　　　　　　　　　　　　　　　　 　 0.2
グリチルリチン酸ジカリウム　　　　　　　                  0.05
エデト酸三ナトリウム　　　　　　　　　　　　　　　　　　  適量
香料　　　　　　　　　　　　　　　　　　　　　　　　　　  適量
精製水　　　　　　　　　　　　　　　　　　　　　　　　　  残余
［処方例１０：ハンドソープ用組成物］
プロピレングリコール　　　　　　　　　　　　　　　　　　  6.0質量％
ラウリン酸　　　　　　　　　　　　　　　　　　　　　　　  3.0
ミリスチン酸　　　　　　　　　　　　　　　　　　　　　    1.0
ポリオキシエチレンスルホコハク酸ラウリル二ナトリウム      1.0
ヤシ油脂肪酸ジエタノールアミド　　　　　　　　　　　　 　 0.5
ヤシ油脂肪酸アミドプロピルベタイン液                      2.0
トリエタノールアミン　　　　　　　　　　　　　　　　　　  2.5
塩化ナトリウム　　　　　　　　　　　　　　　　　　　　    0.05
エデト酸三ナトリウム　　　　　　　　　　　　　　　　　　  適量
香料　　　　　　　　　　　　　　　　　　　　　　　　　　  適量
精製水　　　　　　　　　　　　　　　　　　　　　　　　　  残余
［処方例１１：ハンドソープ用組成物］
プロピレングリコール　　　　　　　　　 　　　　　　　  　10.0質量％
ポリオキシエチレンラウリルエーテル　　　　　　　　　　　  1.0
テトラデセンスルホン酸ナトリウム液　　　　　　　　　　　  6.0
リンゴ酸　　　　　　　　　　　　　　　　　　　　　　　    0.1
ユーカリ油　　　　　　　　　　　　　　　　　　　　　      0.05
安息香酸ナトリウム　　　　　　　　　　　　　　　　　　 　 0.1
塩化ベンザルコニウム液　　　　　　　                      0.1
エデト酸三ナトリウム　　　　　　　　　　　　　　　　　　 適量
精製水　　　　　　　　　　　　　　　　　　　　　　　　　 残余」
　　　　　　　　
ｆ「【図２】
　　　　　　　　
【図４】
　　　　　　　　　　
【図５】
　　　　　　　　　
【図６】
　　　　　　　　　
【図７】
」
　　　　　　　　　　
（５）検討 
　本件発明は、前記第２に記載したとおりのものであって、２２種の化合物からなる所定の化合物群（アニオン性界面活性剤１５種、両性界面活性剤４種、カチオン性界面活性剤１種、非イオン性界面活性剤２種の合計２２種。）から選択される２つ以上の界面活性剤を含み、アニオン性、両性、カチオン性、非イオン性の界面活性剤を洗浄剤組成物全体に対して所定の含有量で含有し、洗浄剤組成物全体に対する総含有量が１２重量％以下である界面活性剤を、モータにより回転するスクリューを有した泡生成装置を用い、スクリューの回転により洗浄剤組成物と空気とを混合することにより生成される、泡生成後１０秒後の泡粘度が４０〜１００ｍＰａ−ｓかつ生成３０秒後の泡において含有される気泡の平均粒子径が１０〜１００μｍ以下であるという物性値を有する洗浄用の泡という物に係る発明と認められる。
　そして、泡生成後１０秒後の泡粘度が４０〜１００ｍＰａ−ｓかつ生成３０秒後の泡において含有される気泡の平均粒子径が１０〜１００μｍ以下の条件を満たす泡はきめが細かくクリーミーな泡（以下、「所定の泡粘度、気泡の平均粒子径を有するきめが細かくクリーミーな泡」という。）と認められる（摘記ｂ等参照。）。
　　　
　ここで、前記（４）に摘記した事項に基づいて、本件明細書の発明の詳細な説明に記載されていた事項を整理すると、次のとおりの事項が開示されていたものと認められる。
　　　　　　　
・従来のポンプフォーマーを用いた装置等を使用して生成した泡では、きめが細かくクリーミーな洗浄用の泡が得られなかったところ、本件発明はそのような洗浄用の泡を提供することを目的とするものであること。
（摘記ａ参照。）
　　　　　　　　
・界面活性剤の総含有量を１２質量％以上としないことが、所定の泡粘度、気泡の平均粒子径を有するきめが細かくクリーミーな洗浄用の泡を得るために必要であること。
（摘記ｄの段落【００５０】の「…従来から一般に用いられていたシャンプーは、原液の粘度（液粘度）は、３０℃において１５００mPa-s以上でありかつ界面活性剤の含有量は１２質量％以上であるためそのまま用いると、本発明である洗浄剤組成物に空気を混合してなる洗浄用の泡…にはなりえない。そこで、界面活性剤の含有量及び原液の粘度（液粘度）を本発明に適するように調整したものを洗浄剤原液（以下、調整原液という）として用いた。…」との記載等参照。）
　　　　　　　　　
・本件発明において特定の泡発生装置による泡生成方法を用いたことが、所定の泡粘度、気泡の平均粒子径を有するきめが細かくクリーミーな洗浄用の泡を得るために必要であること。
（摘記ｃの段落【００３６】の「…泡生成装置１によれば、モータ７により回転するスクリュー９の回転により洗浄剤組成物原液Ｂと空気とを混合するため、きめの細かいクリーミーな洗浄用の泡Ａを生成することができる…。」との記載、及び、実施例１、２との比較のために記載された比較例１、２（参考例１、２）がいずれも本件発明と同一の界面活性剤を含有して、別異の泡生成方法（比較例１（参考例１）はポンプフォーマーによる方法、比較例２（参考例２）は発泡石を用いた電動による泡発生方法による例）によって、生成した泡の例（摘記ｄ、摘記ｆの【図４】、【図６】、【図７】）であること等参照。また、当該泡発生装置については、摘記ｃ、摘記ｆの【図２】参照。）
　　
・５種の界面活性剤（ポリオキシエチレンラウリルエーテル硫酸ナトリウム、ＡＭＴタウリンナトリウム、ヤシ油脂肪酸アミドプロピルベタイン液、２−アルキル−Ｎ−カルボキシメチル−Ｎ−ヒドロキシエチルイミダゾリニウムベタイン、ジココイルエチルヒドロキシエチルモニウムメトサルフェートＰＧ溶液の５種の界面活性剤を含有した例。）を含有し、さらに、その他にカチオン性高分子、アニオン性高分子等を含有する組成物を使用して生成した泡が、所定の泡粘度、気泡の平均粒子径を有するきめの細かいクリーミーな洗浄用の泡である実施例１、
及び、
３種の界面活性剤（ポリオキシエチレンラウリルエーテル硫酸ナトリウム、ヤシ油脂肪酸メチルタウリンナトリウム、ヤシ油脂肪酸アミドプロピルベタイン液の３種の界面活性剤を含有した例。）を含有し、さらに、その他にカチオン性高分子を含有した組成物の組成のみ記載した実施例２。
（実施例１について、摘記ｄ、摘記ｆの【図４】〜【図７】、実施例２について、摘記ｄ、摘記ｆの【図５】参照。）
　　　　　
・泡生成のための組成物の処方例３〜１１。（摘記ｅ参照。）
　　　　　　　　　
（なお、本件明細書の発明の詳細な説明には、平成２３年３月２２日付け手続補正によって、界面活性剤が所定の化合物群から選択される２つ以上のものであることが記載されたが（摘記ｂ）、当該記載は、特許請求の範囲に、所定の化合物群から選択される２つ以上の界面活性剤を含むという内容の発明特定事項が加えられたことに対応して、明細書の発明の詳細な説明に同様のことを記載したものに過ぎず、そのような記載によって、本件明細書の発明の詳細な説明に、当業者が本件発明を実施できるように記載されていたものとすることは認められないものである。）
　　　　　　　　
　以上によると、本件明細書の発明の詳細な説明には、本件発明において、従来得られなかったきめが細かくクリーミーな洗浄用の泡を得るために、界面活性剤の総含有量を所定量（１２質量％)以上にしないこと、及び、モータにより回転するスクリューを有する泡生成装置による泡発生方法を用いることが必要であること、及び、特定の実施例、処方例が記載されていたものと認められる。
　そこで、斯かる本件明細書の発明の詳細な説明に、当業者が本件発明を実施することできる程度に明確かつ十分に本件発明について記載がされていたか否かを検討する。
　　　　　　　
　まず、界面活性剤を含む組成物の点から検討する。
　本件発明は、所定の化合物群から選択される２つ以上の界面活性剤を含むことを発明特定事項とするものであるところ、まず、当該化合物群のうちには、本件明細書の発明の詳細な説明に何ら記載されていたとは認められない化合物が存在し（陰イオン界面活性剤としての「…ステアリン酸ナトリウム、ステアリン酸カリウム、ラウリン酸ナトリウム、ラウリン酸カリウム、ミリスチン酸ナトリウム、ミリスチン酸カリウム、リンゴ酸ナトリウム…」参照。２２種の化合物のうちの７種類は記載されていなかったものと認められる。）、それらの化合物を使用する組成物については、そもそも本件明細書の発明の詳細な説明に開示されたものでないから、本件明細書の発明の詳細な説明に、如何にして、所定の泡粘度、気泡の平均粒子径を有するきめが細かくクリーミーな洗浄用の泡を得るかについて、当業者が実施できる程度に明確かつ十分に記載されていたとは認められないものである。
　　　　
　また、本件発明の界面活性剤を含む組成物は、２種以上の界面活性剤を含むものであって、それらを２種含めば足りるものであるところ、本件明細書の発明の詳細な説明をみても、本件発明が「２種」以上の界面活性剤を含むものであることは記載されておらず、特定の５種ないし３種の界面活性剤を含み、さらに、カチオン性高分子、アニオン性高分子等の成分も含有する組成物を用いた実施例１、２が記載されるのみであって、そのほかに、含有される界面活性剤の数や種類が、所定の泡粘度、気泡の平均粒子径を有するきめが細かくクリーミーな洗浄用の泡を得るうえで、如何なる意義を有するか等についての技術的な説明等も何ら記載されているとは認められない。
（なお、処方例３〜１１は、いずれも本件発明の両性界面活性剤の含有量の条件を満たさないものであって（後記、（６）ア．参照。）、本件発明の実施例とは認められないものであるから、これらの中に、界面活性剤を２種ないしそれ以上含む例があったとしても、本件明細書の発明の詳細な説明に本件発明が「２種」以上の界面活性剤を含むものであることが記載されていたことの根拠とはならないものと認められる。）
　そうすると、本件明細書の発明の詳細な説明は、所定の化合物群から選択される界面活性剤を「２種」以上含む組成物が記載されていたと当業者が認識できたものとはいえないから、そのような組成物を使用して、所定の泡粘度、気泡の平均粒子径を有するきめが細かくクリーミーな洗浄用の泡を生成することについて、当業者が実施できる程度に十分かつ明確に記載されていたとは認められないものである。
　　　　　　　　
　さらに、洗浄剤組成物に空気を混合して生成される泡の物性（粘度、平均気泡径等）が洗浄剤組成物に配合する成分の種類等の違いによって影響を受けるものであり、界面活性剤やその他の成分（カチオン高分子、アニオン高分子等）の種類や含有量が違えば、当該洗浄剤組成物によって生成する泡の物性は同じになるとは必ずしもいえないことは技術常識と認められ（なお、カチオン高分子等が泡の物性に影響する可能性があることについては、例えば、特表平８−５０５６３６号公報参照。同公報には、特許請求の範囲の請求項１等をみると「Ｅ）カチオン性界面活性剤またはポリマー」を含有する発泡性エマルションが記載されており、第１６頁第２行には、「カチオン性界面活性剤またはポリマー…は、発泡機構に適している。…」と記載されている。）、また、アニオン性、両性、カチオン性、非イオン性の界面活性剤から選択される２種以上を洗浄剤組成物全体に対して１２重量％以下含有させれば、泡生成後１０秒後の泡粘度が４０〜１００ｍＰａ−ｓかつ生成３０秒後の泡において含有される気泡の平均粒子径が１０〜１００μｍ以下の泡になるという技術常識が存在するとは認められない。
　そうすると、本件明細書の発明の詳細な説明に特定の５種ないし３種の界面活性剤を含む組成物を用いた場合の実施例（実施例１、２）及び処方例（なお、処方例は前記のとおり本件発明の実施例とは認められないものである。）が記載されていたとしても、それらの記載等からは、２２種の化合物からなる所定の化合物群から選択される任意の２つ以上の界面活性剤を含む組成物を洗浄剤組成物全体に対して１２重量％以下含有させて、所定の泡粘度、気泡の平均粒子径を有するきめが細かくクリーミーな洗浄用の泡を生成する本件発明全体について、本件明細書の発明の詳細な説明に、当業者が実施できる程度に十分かつ明確に記載されていたものとは認められない。
（なお、次の泡生成装置についての点を考慮すると、本件明細書の発明の詳細な説明は、実施例１、２についても、当業者が実施できる程度に明確かつ十分に記載されていたとは認め難いものである。さらに、実施例２は、生成された泡の泡粘度、気泡の平均粒子径等の物性値について何ら記載されないものであるから、所定の泡粘度、気泡の平均粒子径を有するきめの細かいクリーミーな洗浄用の泡が得られたことを十分に確認できないものである。）
　　　　　　　　　
　また、泡生成装置の点から検討しても、本件発明は、所定の泡粘度、気泡の平均粒子径を有するきめの細かいクリーミーな洗浄用の泡を製造するにあたり、モータにより回転するスクリューを有した泡生成装置を用いるものであるところ、本件明細書の発明の詳細な説明における斯かる泡生成装置についての開示をみると、当該泡生成装置の構造、機構については開示されていたものと認められる（摘記ｃ、ｆの【図２】参照。）が、所定の泡粘度、気泡の平均粒子径を有するきめの細かいクリーミーな洗浄用の泡を得るためにどのような作動条件（モータの回転数等）で当該泡生成装置を作動させるのかについては、一例さえも開示されていないものと認められる。
　そして、泡発生装置の作動条件が、生成する泡の物性に支配的な影響を及ぼさないという技術常識の存在も認められない（後記「（６）イ」の［泡発生装置の作動条件が泡の物性に与える影響の点について］も参照。）。
　そうすると、本件明細書の発明の詳細な説明には、本件発明に係る界面活性剤を２種以上含む組成物を当該泡生成装置を用いて如何なる作動条件で処理することによって、本件発明の所定の泡粘度、気泡の平均粒子径を有するきめが細かくクリーミーな洗浄用の泡を生成することができるのかについて、技術常識を考慮しても当業者が、本件発明を実施できる程度に明確かつ十分に記載されていたものとは認められない（本件明細書の発明の詳細な説明に記載された実施例１、２も、斯かる点について開示されたものでないから、当業者が実施できる程度に明確かつ十分に記載されていたものと直ちには認め難いものである。）。
　　　
ｃ．まとめ
　よって、本件明細書の発明の詳細な説明は、使用される界面活性剤を含む組成物の点からみても、また、泡生成装置の点からみても、当業者が本件発明を実施し、泡生成後１０秒後の泡粘度が４０〜１００ｍＰａ−ｓかつ生成３０秒後の泡において含有される気泡の平均粒子径が１０〜１００μｍ以下の条件を満たす、きめが細かくクリーミーな洗浄用の泡を生成することできる程度に明確かつ十分に本件発明について記載がされていたとは認められないものである。
 　　　　　　　　　　　　　　
（６）審判請求人の主張について
ア．審判請求人の提出した実験データについて
　審判請求人は、平成２３年３月２２日付け意見書において、本件明細書の発明の詳細な説明に記載された実施例２、処方例３〜１１の泡について、粘度、泡粘度、気泡の粒子径の実験データを提出し、
「実施例２及び各処方例における、粘度、泡粘度、泡の粒子径については…本請求項の範囲であることを確認いたしました。
　したがって、補正後の請求項１に記載の発明は、当業者が実施できる程度に明確かつ十分に記載されたものとなりましたので、特許法第３６条第４項第１号の拒絶理由は解消したものと思料致します。」
と、本件明細書の発明の詳細な説明は、これらの実施例、処方例によって、当業者が本件発明を実施できる程度に明確かつ十分に記載されたものであることを主張していると認められる。
　しかしながら、提出された実験データのうち、処方例３〜１１は、洗浄剤組成物に対する両性界面活性剤の含有量をみると、
処方例３はラウリルジメチルアミノ酢酸ベタイン２．５質量％、
処方例４はヤシ油脂肪酸アミドプロピルベタイン液３．５質量％、
処方例５はイミダゾリニウムベタイン２．０質量％及びヤシ油脂肪酸アミドプロピルベタイン液１．０質量％（合計３．０質量％）、
処方例６はラウリルジメチルアミノ酢酸ベタイン１．０質量％及びヤシ油脂肪酸アミドプロピルベタイン液２．０質量％（合計３．０質量％）、
処方例７はラウリルジメチルアミノ酢酸ベタイン２．０質量％、
処方例８はヤシ油脂肪酸アミドプロピルベタイン液２．０質量％、
処方例９はラウリルジメチルアミノ酢酸ベタイン１．０質量％、
処方例１０はヤシ油脂肪酸アミドプロピルベタイン液２．０質量％、
を含むものであり、
処方例１１は所定の両性界面活性剤を含まないものであって、
いずれも、洗浄組成物に対する両性界面活性剤の含有量が３．９〜７．２重量％のものでない点で、本件発明の実施例といえないものであるから、仮に、これらの処方例において生成した泡の粘度、泡粘度、泡の粒子径が、本件発明において特定される範囲内であったとしても、界面活性剤の数や種類と、所定の泡粘度、気泡の平均粒子径有するきめが細かくクリーミーな洗浄用の泡が生成することとの間の技術的な関連性をむしろ希薄にしかねないものであるとしても、本件明細書の発明の詳細な説明に当業者が本件発明を実施できる程度に明確かつ十分に記載されていたことの根拠とはいえないものと認められる。
　　　　　　
イ．泡生成装置の作動条件について
　審判請求人は、平成２３年７月２６日付け審判請求書、及び、平成２４年１０月２５日付け回答書において、本件発明に係る泡を生成するのに使用する泡生成装置の作動条件について、
「しかしながら、本願の電動スクリュー方式による泡の生成においては、スクリューの形状、空気の混合率、回転数は、泡の物性には支配的には作用しません。具体的には、スクリューの形状、回転数は、泡の吐出速度に影響を及ぼし、泡の物性への影響は無視することができます。また、空気の混合率においても、本願のような開放系においては、泡の物性への影響は無視することができます。したがって、「モータの回転数、スクリューの形状、洗浄剤用組成物に対して空気を混合する割合といった各種条件について、発明の詳細な説明には、泡を発生させる際の具体的な条件については開示」する必要はないと思料いたします。」
と、モータの回転数、スクリューの形状、洗浄剤用組成物に対して空気を混合する割合といった泡発生装置の作動条件については、生成される泡の物性に支配的な影響を及ぼさないから、明細書に明記されていないとしても、本件明細書の発明の詳細な説明の記載は、実施可能要件を満たすものであることを主張していると認められる。
　しかしながら、モータの回転数、スクリューの形状、洗浄剤用組成物に対して空気を混合する割合といった泡発生装置の作動条件が生成される泡の物性に支配的な影響を及ぼさないということの技術的な根拠は何ら示されていない。
　また、本件明細書の発明の詳細な説明に記載された実施例１と比較例１、２（参考例１、２）とを比較すると、同じ洗浄剤組成物を用いても、別異の泡生成装置を用いて泡を生成すると、生成した各々の泡の物性が相違することが示されており（摘記ｄ、摘記ｆの【図４】、【図６】、【図７】）、如何なる方法で生成したかによって、泡の物性は相違するものであることが推認されるし、下記の［泡発生装置の作動条件が泡の物性に与える影響の点について］に記載したように、泡生成装置において作動条件が生成する泡の性質に支配的な影響を及ぼさないという技術常識の存在は認められない。
　そうすると、泡発生装置の作動条件は泡の物性に支配的な影響を及ぼさないから、明細書に明記されていないとしても、本件明細書の発明の詳細な説明の記載は、実施可能要件を満たすものであるという、審判請求人の主張は認められないものである。
　　　　　　　　
［泡発生装置の作動条件が泡の物性に与える影響の点について］
参考例１：実願昭５９−１３０５６６号（実開昭６１−４５０２４号）のマイクロフィルム（平成２３年１月１３日付け拒絶理由における引用文献５）
参考例２：特開平７−５９５３５号公報
参考例３：特公昭６２−３６０６０号公報
参考例４：「翻訳　応用界面・コロイド化学ハンドブック」辻井薫・高木俊夫・前田悠監修（エヌ・ティー・エス）２００６年１月３１日発行、第５８１〜５８３頁「７．１　高分子泡製品」の項
　　　　　　　　
　上記参考例１には、モータにより回転するスクリューを有した泡生成装置について「しかもモータにて攪拌の速度を一定に保つことができるから、生成される泡の状態も常に安定したものとすることができる。」（第７頁第４〜７行参照。）等のモータの回転速度が泡の性質（安定性）に影響することを意味すると解される記載がされている。
　また、上記参考例２には、泡生成の対象物をドレッシングとするものではあるが、モータにより回転するスクリューを有した泡生成装置について、「泡立ちの良い良質の起泡ドレッシングを得るためには、泡立部３１への起泡性ドレッシング材料３０の供給量とスクリュー回転数の関係の最適化が重要である。」（段落【０００６】参照。）と、スクリュー回転数が生成する泡の性質に影響することを意味するものと解される記載がされている。
　そして、上記参考例３には、液体洗浄剤組成物を別異の装置（かくはん羽根を有したかき混ぜ機）によって気泡を生成するものではあるが、「本発明組成物中の気泡径を所定の範囲に調整するのは…かき混ぜ機で激しくかきまぜながら…行うことができる。この際、かき混ぜ機の回転速度を大きくするか…すれば気泡径は小さくなり、かき混ぜ機の回転速度を小さくするか…すれば気泡径は大きくなる。…」（第３頁第６欄第１〜９行）と、かき混ぜ機の回転速度が生成する泡の大きさ影響することを意味するものと解される記載がされている。
　さらに、上記参考文献４には、高分子泡製品についてではあるが、「…起泡過程においては，気体の種類，気体含有量，加工条件，気泡の動的過程のすべてが，最終的な構造と形態に影響する。…」（第５８３頁左欄下から第２行〜右欄第１行）と、加工条件等が生成する泡の性質に影響することを意味するものと解される記載がされている。
　以上のとおり、モータにより回転するスクリューを有した泡生成装置に関するもののみではないとしても、どのような条件で泡を生成するかが得られる泡の物性に影響することを記載したものと認められる先行技術が複数存在することを踏まえると、泡発生装置の作動条件が泡の物性に支配的な影響を及ぼさないという技術常識の存在は認められないものである。
　　　　　
　　　　　　
第５　結び 
　以上のとおりであって、本件出願は明細書の発明の詳細な説明の記載が特許法第３６条第４項第１号に規定する要件を満たすものでないから、その余の点について検討するまでもなく、本件出願は、拒絶をすべきものである。
　よって、結論のとおり審決する。